(57)【要約】【課題】成形時や塗装時の効率化を図ることによりその装置全体のコストアップを招くことを防止することができる携帯端末装置を提供する。【解決手段】ケース４５を構成する一対のケース構成部材を互いにネジ止めして固定するためのネジ止め用孔３９を閉止するのに用いる閉止部材５０を、前記一対のケース構成部材の一方４５ａと連結した状態で同時成形し、一対のケース構成部材を互いにネジ止めした後、前記の成形した閉止部材５０をケース構成部材４５ａから分離して、ネジ止め用孔３９を閉止するようにケース構成部材４５ａに閉止部材５０を取付けたことを特徴とする。【効果】成形時や塗装時の効率化を図ることができるので、携帯端末装置全体のコストアップを招くことを防止することができる。【選択図】      図３
2004266459.tif 000002
【特許請求の範囲】
【請求項１】
ケースを構成する一対のケース構成部材を互いにネジ止めして固定するためのネジ止め用孔を閉止するのに用いる閉止部材を、前記一対のケース構成部材の一方と連結した状態で同時成形し、
前記一対のケース構成部材を互いにネジ止めした後、前記の成形した閉止部材を前記ケース構成部材から分離して、前記ネジ止め用孔を閉止するようにケース構成部材に閉止部材を取付けたことを特徴とする携帯端末装置。
【請求項２】
前記閉止部材の断面をほぼＬ字状に形成するようにした請求項１に記載の携帯端末装置。
【請求項３】
前記閉止部材の断面を、前記ケースの片面の表示部形成面及び／又は操作部形成面から前記ケースの側面への二面にわたって形成するようにした請求項２に記載の携帯端末装置。
【発明の詳細な説明】
【０００１】
【発明の属する技術分野】
本発明は、携帯電話機等の携帯端末装置に関し、特に、ケースを構成する一対のケース構成部材を互いにネジ止めして固定するためのネジ止め用孔を閉止するのに用いる閉止部材に関するものである。
【０００２】
【従来の技術】
従来の携帯端末装置としては、例えば、図４，図５に示すような携帯電話機３０があった。この従来の携帯端末装置３０は、表示部形成面３２を有するケース３５と、操作部形成面３４を有するケース３６と、それらの間を折り畳み自在に連結するヒンジ部３８から構成されている。
【０００３】
この携帯端末装置３０のケース３５の表示部形成面３２には、ＬＣＤ（液晶ディスプレイ）から構成される表示面１２、及び、スピーカ１３等が形成されている。ケース３６の操作部形成面３４には、上下左右の方向に指示することができる十字キー１８、数字や文字を入力することができるテンキー２０等の各種キー、及び、マイクロホン１５等が形成されている。
【０００４】
前記表示部形成面３２を有するケース３５は、図５に示すように、そのケース構成部材３５ａ，３５ｂの内側面が互いに対向して、互いに重なって配置され、ケース構成部材３５ｂのネジ穴にネジ部材３７がネジ結合することにより、ケース構成部材３５ｂにケース構成部材３５ａがネジ止めされて固定されるようになっている。
【０００５】
このときネジ部材３７は、ケース構成部材３５ａにあけられたネジ止め用孔３９から挿入され、図示しないネジ回し用工具（ドライバー）によりネジ回転されて、ケース構成部材３５ｂ側のネジ穴にネジ結合する。このため、ネジ部材３７のネジ結合の操作後には、ネジ止め用孔３９にキャップ部材４０を嵌合してそれを閉止し、表示部形成面３２にそのネジ止め用孔３９があいたまま残らないようになっている（例えば、特許文献１ないし４参照）。
【０００６】
【特許文献１】
特開２００１−２８４９３４号公報
【特許文献２】
特開２００１−２７４８８０号公報
【特許文献３】
特開２００１−３０８９９２号公報
【特許文献４】
特開２００３−８７０８号公報
【０００７】
【発明が解決しようとする課題】
しかしながら、このような従来の携帯端末装置３０においては、キャップ部材４０は専用の金型により単独で成形されるため、当然ケース構成部材３５ａとは別の金型が必要となると共に、ケース構成部材３５ａとは別に成形作業が必要となるので、携帯端末装置３０全体のコストアップを招く。また、キャップ部材４０の塗装もケース構成部材３５ａとは別に行われるので、塗装作業が互いに重複して、やはり携帯端末装置３０全体のコストアップを招くという問題があった。
【０００８】
そこで本発明は、上記問題点に鑑みて、成形時や塗装時の効率化を図ることにより装置全体のコストアップを招くことを防止することができる携帯端末装置を提供することを課題とするものである。
【０００９】
【課題を解決するための手段】
上記課題を解決するために、本発明による携帯端末装置は、
ケースを構成する一対のケース構成部材を互いにネジ止めして固定するためのネジ止め用孔を閉止するのに用いる閉止部材を、前記一対のケース構成部材の一方と連結した状態で同時成形し、
前記一対のケース構成部材を互いにネジ止めした後、前記の成形した閉止部材を前記ケース構成部材から分離して、前記ネジ止め用孔を閉止するようにケース構成部材に閉止部材を取付けたことを特徴とするものである。
【００１０】
このような本発明によれば、ネジ止め用孔を閉止するための閉止部材を、一対のケース構成部材の少なくとも一方と連結した状態で同時成形することにより、１つの金型で閉止部材とケース構成部材を同時に成形することができると共に、上記連結した状態で塗装も同時に行うことができて、成形時や塗装時の効率化を図ることができるので、携帯端末装置全体のコストアップを招くことを防止することができる。
【００１１】
【発明の実施の形態】
以下、本発明の実施の形態について、図面に基づいて具体的に説明する。
図１乃至図３は、本発明の一実施の形態に係る携帯端末装置について説明するために参照する図である。前記従来の携帯端末装置３０と同様の、重複する構成や動作についての説明は省略する。
【００１２】
図１及び図２に示すように、表示部形成面３２が形成されるケース４５の、裏表一対のケース構成部材のうちの一方のケース構成部材４５ａには、表示部形成面３２からその側面にかけて断面がＬ字状のキャップ用凹部５２が形成されている。そして、このキャップ用凹部５２の底面５２ａには、Ｌ字状のネジキャップ５０（閉止部材）が、図示しない両面テープを介して接着し、ネジ部材３７を挿入してネジ止めした後のネジ止め用孔３９を閉止するようになっている。
【００１３】
このようなケース構成部材４５ａ及びネジキャップ５０は、図３に示すように、ネジキャップ５０より薄い肉厚で、ネジキャップ５０の幅よりも著しく小さい幅を有するランナー５４を介して、互いに連結された状態で、同一の金型を用いて同時に成形される。
【００１４】
そしてその成形冷却後に、ケース構成部材４５ａとネジキャップ５０が連結された状態で同時に塗装される。この後、ケース構成部材４５ａ及びネジキャップ５０の双方からランナー５４の両端を切り離し、それから上述のように、ネジキャップ５０をＬ字状のキャップ用凹部５２の底面５２ａに、両面テープを用いて接着するようになっている。
【００１５】
本実施の形態によれば、ネジ止め用孔３９を閉止するためのネジキャップ５０を、ケース構成部材４５ａと連結した状態で同時成形することにより、１つの金型でネジキャップ５０とケース構成部材４５ａを同時に成形することができると共に、塗装も同時に行うことができて、成形時や塗装時の効率化を図ることができるので、携帯端末装置全体のコストアップを招くことを防止することができる。
【００１６】
また、ケース構成部材４５ａとネジキャップ５０が同時に塗装されるので、完全に同一色で塗装することができる。また、ケース構成部材４５ａとネジキャップ５０に同材質を用いることができることにより、携帯端末装置の外観や質感を向上させることができる。
【００１７】
また、ネジキャップ５０を塗装した後のランナー５４の分離により生じる、ネジキャップ５０の未塗装部分は、キャップ用凹部５２の段差面の中に埋まってしまうため、その未塗装部分が外部に露出して携帯端末装置の外観を悪化させることを防止することができる。また、ネジキャップ５０を切り離した後に残るランナー５４の跡は、ネジ止めには影響を及ぼすこともなく、ネジキャップ５０により覆い隠されるため、外観を悪化させることもない。
【００１８】
また、ネジキャップ５０のような小さな部品は、単独で扱われる場合は塗料の吹き付けにより吹飛ばされて紛失するおそれがあるが、ランナー５４を介してケース構成部材４５ａと一体化した状態で塗装することにより、上記のように吹飛ばされて紛失することを防止することができる。
【００１９】
また、ネジキャップ５０がケース構成部材４５ａの表示部形成面３２からその側面にかけてＬ字状に形成されることにより、ネジキャップ５０とキャップ用凹部５２の底面５２ａとの間の接着面が大きくなるので、それらの間の両面テープの接着力も大きくなって、ネジキャップ５０は接着後にケース構成部材４５ａから容易に剥がれたり、脱落したりし難くなる。
【００２０】
また、ネジキャップ５０が上記のようにＬ字状に形成されることにより、ネジキャップ５０及び前記両面テープのサイズが大きくなるので、ネジキャップ５０や両面テープの扱いが容易となって、ネジキャップ５０の組立てや取外しの作業性を向上することができる。さらに、ネジ止め面とランナー５４形成面とを異にすることで、ネジ止め時にランナー５４の跡が邪魔になることがない。
【００２１】
また、ケース４５のケース構成部材４５ａを他方の（ケース４５の裏表反対側の）ケース構成部材にネジ止めするまで、ネジキャップ５０はケース構成部材４５ａと一体のまま扱うことができるので、小さな部品であるネジキャップ５０を扱い易くすると共に、その紛失を防止することができる。
【００２２】
特に、ネジキャップ５０の裏面に両面テープを貼る場合に、ケース構成部材４５ａを持って作業ができるため、その作業性を向上することができる。
そして、上記ネジ止め後にネジキャップ５０をケース構成部材４５ａから切り離した後、それをキャップ用凹部５２の底面５２ａに接着することができる。
【００２３】
なお、上記実施の形態においては、Ｌ字状のネジキャップ５０の長い方の辺の先端部を、ランナー５４を介してケース構成部材４５ａに連結する場合について説明したが、ネジキャップ５０の短かい方の辺の先端部をケース構成部材４５ａに連結するようにしてもよい。
【００２４】
また、上記実施の形態においては、ネジキャップ５０をキャップ用凹部５２と同じ向きにしてケース構成部材４５ａと連結するようにしたが、抜け勾配を適切に設定することにより、ネジキャップ５０をキャップ用凹部５２と反対向きにして（図３中のネジキャップ５０を逆さまにして）、ケース構成部材４５ａと連結するようにしてもよい。
【００２５】
さらに、上記実施の形態においては、ネジキャップ５０を、表示部形成面３２が形成されるケース４５のケース構成部材４５ａと一体成形して、ネジキャップ５０の分離後にそのネジキャップ５０を、キャップ用凹部５２の底面５２ａに接着するようにしたが、ネジキャップ５０を、操作部形成面３４が形成されるケース３６のケース構成部材と一体成形して、ネジキャップ５０の分離後にそのネジキャップ５０を、そのケース構成部材に形成されたキャップ用凹部の底面に接着するようにしてもよい。
【００２６】
【発明の効果】
以上説明したように、本発明によれば、ネジ止め用孔を閉止するための閉止部材を、一対のケース構成部材の少なくとも一方と連結した状態で同時成形することにより、１つの金型で閉止部材とケース構成部材を同時に成形することができると共に、上記連結した状態で塗装も同時に行うことができて、成形時や塗装時の効率化を図ることができるので、携帯端末装置全体のコストアップを招くことを防止することができる。
【００２７】
また、抜き勾配など金型的にも無理がなく、金型製作コストへの影響が少ない。さらに、閉止部材とケースを同時に塗装することにより全く同色となり、外観品質を向上させることができる。
【図面の簡単な説明】
【図１】本発明の一実施の形態に係る携帯端末装置の表示部形成面３２を有するケース４５とネジキャップ５０を示す正面図である。
【図２】図１におけるケース構成部材４５ａのネジキャップ５０及びキャップ用凹部５２のＩ−Ｉ線分解断面図である。
【図３】互いに連結して一体成形した状態のケース構成部材４５ａとネジキャップ５０を示す断面図である。
【図４】従来の携帯端末装置３０を示すその正面図である。
【図５】図４におけるケース３５のケース構成部材３５ａを同じくケース３５のケース構成部材３５ｂにネジ止めした状態を示すケース３５のＪ−Ｊ線断面図である。
【符号の説明】
１３  スピーカ
１５  マイクロホン
１８  十字キー
２０  テンキー
３０  携帯端末装置
３２  表示部形成面
３４  操作部形成面
３５，３６  ケース
３５ａ，３５ｂ  ケース構成部材
３７  ネジ部材
３９  ネジ止め用孔
４０  キャップ部材
４５  ケース
４５ａ  ケース構成部材
５０  ネジキャップ
５２  キャップ用凹部
５２ａ  底面
５４  ランナー
【図１】
2004266459.tif 000003
【図２】
2004266459.tif 000004
【図３】
2004266459.tif 000005
【図４】
2004266459.tif 000006
【図５】
2004266459.tif 000007